(57)【特許請求の範囲】
【請求項１】
仕切板と仕切フェース部とシャッターからなる仕切部を貫通ロッドで支持し、配膳車内部に縦一列に複数段並べ仕切壁とし、前記仕切部のシャッターでトレイ通路を開閉し、トレイ上を横断して温蔵域と冷蔵域に区分し、筐体側に開閉ヒンジを持つ正面扉と背面扉を備える箱型の温冷配膳車であって、前記仕切板の正面側端部近傍の内面又は正面側仕切フェース部の裏面の上端近傍又は、シャッター収納部上端近傍にヒンジ支点を設け、前記ヒンジ支点から磁性体金属のスイング板又は、前記スイング板に磁石を収納した磁石収納ケースを取り付けてスイング部とし、前記仕切フェース部の裏面と前記スイング部間にバネを設け、前記仕切フェース部に当接する扉パッキン内に、磁石又は磁性体金属を設け、同じく対向するスイング部にも、磁石又は磁性体金属板を設け、前記正面扉の開閉により前記スイング部が磁力圏内に入脱し、前記スイング部を開閉自在とし、前記スイング部の下端部に、前記トレイ通路と並行する案内棒を連結し、前記仕切板下端部から出没自在にトレイ通路を上下するシャッターの内面に、紐の一端を結び始点とし、他端を、前記仕切板の内部に設けた紐用ローラーを介して、前記案内棒に終点として結び、前記スイング部の開閉に連動する前記案内棒上の、紐の終点の左右動により、前記紐用ローラーを介して前記シャッターが上下し、前記トレイ通路の開閉を行なう、前記正面扉の開閉と連動する、シャッター開閉機構を備える仕切部を備えてなる温冷配膳車であって、
Ａ）前記仕切フェース部を開口部とし、左右に開閉する観音開き型扉を、正面扉と背面扉として備え、
Ｂ）前記シャッターが出没する前記トレイ通路は、搭載するトレイのトレイ通路通過部高さ又は、立上勾配部の縁の高さより高いトレイ通路とし、温蔵域と冷蔵域に跨ってトレイ上を横断して、所定の位置にトレイを搭載し、
Ｃ）前記シャッターの下端面は、搭載するトレイの内表面に当接する形状の面を持ち、温蔵域と冷蔵域を区分し、
Ｄ）前記スイング部と前記仕切フェース部の裏面間にバネを設け、前記磁力圏内から離脱した前記スイング部を、前記トレイ通路高さに相当する開き幅で止めるストッパーを、前記仕切板内部に設け、
Ｅ）前記スイング部の下端部側に、前記トレイ通路と並行する前記案内棒の一端を連結し、前記スイング部の開閉に連動して、前記案内棒が前記トレイ通路に対応する距離を、左右に移動し、
Ｆ）前記案内棒の末端部は、前記正面側スイング部が前記正面側ストッパーまで移動した時、背面側スイング部に触れない長さとし、
Ｇ）前記スイング部が開閉した時に、前記末端部から前記案内棒の重心を超えない位置で、前記案内棒の支持用ローラーを設けて、前記案内棒を並行に支持し、
Ｈ）前記シャッターの上下動用紐を、前記シャッターの内面上に前記シャッターの重心又は、重心から左右等間隔に、始点として結び、垂線上に各々の上下動用紐を伸ばし、
Ｉ）前記始点からの紐を架ける其々の前記紐用ローラーの中心を、前記始点から見て背面側に向かう方向で、且つ前記紐用ローラーが頂点となる近傍の上を、前記案内棒が通過する位置の仕切板内部に設け、
Ｊ）前記スイング部が前記仕切フェース部の裏面に密着したとき、前記シャッターを直下段の仕切部側に、トレイ通路高さ相当分下げた状態で、前記紐用ローラーを介して背面側の前記案内棒上に、前記始点の紐を終点として結び、
Ｋ）なお、前記スイング部を吸着するに当たっては、正面扉側に磁石を設ける場合と、スイング部側に磁石を設ける場合又は、前記正面扉側と前記スイング部側の双方に磁石を備える場合があるが、双方に磁石を備えるときは、開閉するそれぞれの前記観音開き型扉側磁石が密着する仕切フェース部表面の裏側面に対向する位置の、前記スイング板内に、上下をピンで回転自在に保持した、前記磁石収納ケースを其々に設け、前記磁石収納ケースに収納された磁石が、各々の対向する扉側磁石の磁極に対応する極性になるように、上下ピンを軸に回転し、前記スイング部を吸着し、
Ｌ）前記仕切フェース部に前記観音開き型扉の一方又は両方が閉じて密着したとき、前記スイング部が、前記仕切フェース部裏側面に吸引され、前記案内棒上の紐の終点も、前記仕切フェース部側に移動し、前記紐用ローラーを介して巻き下がり、これに連動して、前記シャッターが重力方向に下垂し、前記トレイ通路に搭載されたトレイの内表面に当接し、温蔵域と冷蔵域のトレイ通路を塞ぎ、
Ｍ）逆に、前記観音開き型扉が左右伴に開放する事により、前記スイング部が磁界から離脱した時は、前記スイング部が前記ストッパーまで移動するため、連動する前記案内棒上の前記紐の終点も、背面側に移動し、前記紐用ローラーを介して、前記紐のシャッター側始点が、前記シャッターを伴って上昇し、トレイ通路を開放する、前記正面扉の開閉と連動する、シャッター開閉機構を備へ、
Ｎ）前記正面扉の開閉と連動するシャッター開閉機構を、背面側仕切部内にも、同様に設け、双方の前記シャッター開閉機構に共通する前記シャッターの内面に、背面側シャッター開閉機構の紐の一端を、始点として結び、背面側シャッター開閉機構の紐用ローラーを介して、前記背面側シャッター開閉機構用の案内棒上の正面扉側の方向に、同様に前記背面側シャッター開閉機構の紐の終点を設けて連絡し、背面扉の開閉により、前記背面側のスイング部が磁力圏内外になることにより、連動する背面側シャッター開閉機構の案内棒が左右に移動して、前記トレイ通路の共通するシャッターを開閉し、
Ｏ）前記正面扉および背面扉の何れか一方が解放し、他方の扉が閉じた場合は、閉鎖側の他方の扉の開閉と連動する前記シャッター開閉機構の紐は、前記シャッターを下垂する方向に移動するが、解放側の一方の扉の開閉と連動するシャッター開閉機構により、前記シャッターが上昇し、閉鎖側の他方の扉の正面側のシャッター開閉機構により下垂した紐は、撓むのみで、解放側の一方の扉の背面側のシャッター開閉機構の機能を阻害しないため、各々の扉の開閉と連動するシャッター開閉機構は、双方の扉の開閉と矛盾なく連動する双方向性を有するシャッター開閉機構となり、トレイ搭載にあたり、シャッターをトレイとの摩擦による摺動・押上動することなく温冷配膳車に搭載・排出する事を可能とする、前記正面扉と背面扉の双方の扉の開閉と連動する、双方向性を持つシャッター開閉機構を備える事を特徴とする温冷配膳車。
【請求項２】
トレイ周囲に立上勾配部を持つ囲い縁を有する平板状トレイを、前記トレイ通路に搭載するに当り、前記平板状トレイの上に出没自在に上下するシャッターのトレイ側の形状は、前記平板状トレイの内表面に、当接するシャッター形状とし、
Ａ）前記平板状トレイの搭載時に、前記平板状トレイの裏面の立上勾配部と、前記トレイ通路の直下段の仕切板の仕切フェース部の上部近傍に生じる、正面側と背面側の挿入部隙間と、
Ｂ）前記平板状トレイが、前記トレイ通路上の所定の位置に搭載された時、隣接する双方の前記平板状トレイの立上勾配部の裏側に生じる、山状をなす中間部隙間を遮蔽するため、両端部の前記挿入部隙間に当接するシャッター形状を持つ、挿入部シャッターと、前記中間部隙間に当接するシャッター形状を持つ、山状シャッターを設け、各々のシャッターを収納する収納ケースを、各々直下の位置の仕切板内部に埋設し、
Ｃ）前記各々のシャッターと前記各々のシャッターの収納ケース間にバネを設け、常時は各々のシャッターが、前記収納ケースから上部のトレイ通路に突出するように付勢し、
Ｄ）正面側の挿入部シャッターと山状シャッターの下端面側に、個別に紐を結び始点とし、
Ｅ）前記始点から紐を垂直に下げ、背面側の仕切りフェース部が在る方向で頂点となる近傍を、前記正面扉の開閉と連動するシャッター開閉機構の案内棒が通過する位置に、前記正面側の挿入部シャッターと山状シャッターの上下用ローラーの中心を其々設け、各々のシャッター上下用ローラーを介して、正面側スイング部が前記仕切フェース部の裏面に吸着されたとき、
Ｆ）前記正面側の挿入部シャッターと山状シャッターが、トレイ通路を閉じる高さに相当する長さを、其々のシャッター上下用ローラーを介して、前記正面扉の開閉に連動する案内棒上の背面側仕切フェース部側の方向に、各々同様に終点として結び、
Ｇ）同様に背面側の挿入部シャッターと山状シャッターとを、各々別の紐で結び始点とし、前記各々のシャッター上下用ローラーを介し背面扉の開閉と連動するシャッター開閉機構用の案内棒上の正面側に向かう方向に、各々同様に終点として結び連絡するが、
Ｈ）山状シャッターは、正面側及び背面側のシャッター開閉機構の案内棒と連絡する、２本の紐の始点を持つため、シャッター開閉機構の扉が全開する時、全開した正面扉に連動する山状シャッターの紐は下降し、前記収納ケースに山状シャッターを収納するが、閉鎖した背面扉の前記山状シャッターの紐は、トレイ通路高さに相当する長さ分上昇しようとするが、上昇する側の紐は、撓むのみで、山状シャッターを突き上げないため、正面側のシャッター開閉機構の収納動作を阻害せず、山状シャッターは、正面側のシャッター開閉機構にのみ支配されて前記収納ケース内に収納され、トレイ通路を解放するが、
Ｉ）その際、正面側の挿入部シャッターは、全開した正面側シャッター開閉機構に支配されて前記収納ケースに収納され、閉鎖した背面側の挿入部シャッターは、全閉鎖した背面側シャッター開閉機構に支配されるため、トレイ通路を閉鎖するが、全開した正面側からのトレイの搭載と排出作業に際しては、なんら弊害とならず、
Ｊ）正面と背面の双方の扉が解放された場合は、正面側及び背面側の挿入部シャッターと山状シャッターは、全て各々収納ケース内に収納埋没するため、
Ｋ）前記平板状トレイの前記挿入部シャッターと前記山状シャッター及び、平板状トレイの内表面に当接する面を持つ平板状トレイ用シャッターの全てを、双方の扉の開閉に連動して矛盾なく開閉する、平板状トレイ用の双方向性を持つシャッター開閉機構を備える請求項１に記載の温冷配膳車。
【請求項３】
前記平板状トレイに対応した仕切部と、シャッター開閉機構を持つ温冷配膳車に、立上勾配部の囲い縁を持つトレイを横断して、前記トレイの底面の一部をトレイ通路通過部として囲い縁の高さになるように凸状に盛り上げた分離帯付きトレイと、逆に立上勾配部の囲い縁を持つトレイの囲い縁の一部を、トレイ通路通過部としてトレイ底面と同一面にした一部平面部をもつ西洋式トレイを併用するため、前記平板状トレイの挿入部シャッターと山状シャッターの近傍の仕切板上端面直下に、前記挿入部シャッターと山状シャッターを前記仕切板内部に格納し蓋をする、スライド板を設け、
Ａ）前記平板状トレイ用シャッターを、分離帯付きトレイの高さで前記仕切板下端面と並行に上下に分割し、上部仕切板側をベースシャッターとし、切断面上に磁性体金属を備え、分割された側の前記平板状トレイ用シャッターの分割面に磁石を備えて、平板状トレイ用分離シャッターとして温冷配膳車の外部に保管し、
Ｂ）前記分割されたトレイ通路高さの欠損分に相当する、分離帯付きトレイの分離帯面の裏面に当接する、板状のシャッターを用意して着脱シャッターとし、前記着脱シャッターの前記ベースシャッター側面に、磁石を装着して吸着させて、
Ｃ）前記分離帯付きトレイ搭載時は、前記着脱シャッター分離面で分離反転し、前記トレイ通路の直下段の仕切板の上端部に吸着させ、直下段の挿入部シャッターと山状シャッターを前記着脱シャッターにより、直下段の仕切板内に埋没させ、前記分離帯付きトレイの搭載を阻害させず、また扉の開閉により、直下段のシャッター開閉機構の挿入部シャッターと山状シャッターと連動する各々の紐が、前記直下段の仕切板内部で上下するが、上昇する際には、挿入部シャッター用紐と山状シャッター用の紐は、撓むのみで、トレイ通路上に突出しないため、分離帯付きトレイの搭載と排出をなんら阻害しない、トレイの併用性を確保でき、
Ｄ）前記西洋式トレイを挿入する際は、あらかじめ前記着脱シャッターを手で分離して、前記スライド板を手でスライドさせ、前記挿入部シャッターと前記山状シャッターを前記仕切板内部に格納し、
Ｅ）前記着脱シャッターの磁石装着側面を、前記ベースシャッターの下端面に吸着させ一体化し、前記着脱シャッターの下端面を、西洋式トレイの当接面とするトレイ通路とし、前記扉の開閉と連動する、双方向性を持つシャッター開閉機構により開閉し、
Ｆ）平板状トレイを使用する際は、前記着脱シャッターを手で分離して、温冷配膳車外部に保管し、前記スライド板を手でスライドさせ、格納した前記挿入部シャッターと山状シャッターを解放し、前記平板状トレイの内表面に当接する形状の保管した前記平板状トレイ用分離シャッターに交換して、磁石で前記ベースシャッターの下端面と一体化させて復帰し、前記平板状トレイの内表面に当接する下端面形状を持つシャッターとし、前記正面扉及び背面扉の開閉と連動する、双方向性を持つシャッター開閉機構により開閉し、
Ｇ）平板状トレイと分離帯付きトレイおよび西洋式トレイの何れにも併用性を持った、各々のトレイ当接面形状の違うシャッターへの交換を可能に有することを特徴とする、前記扉の開閉と連動する双方向性を持つシャッター開閉機構を有する請求項２に記載の温冷配膳車。
【発明の詳細な説明】
【技術分野】
【０００１】  本発明は、病院等で食事の提供に使用するトレイ上を横断して温蔵部と冷蔵部に仕切ることができる温冷配膳車に関するものである。
【背景技術】
【０００２】  病院等で使用される温冷配膳車は、開放斜面状の囲い縁のあるトレイの一部の底面を、トレイ通路に対応する幅で、開放斜面状の囲い縁の上面位置に凸面状に持上げた、所謂分離帯付きトレイを搭載する温冷配膳車、例えば特開平７−２７５１３４号公報や、前記開放斜面状の縁をもち前記分離帯のない所謂平板状トレイを使用した温冷配膳車、例えば特許第４１０５４７７号公報及び特許２９６７２２６号公報や、開放斜面状の縁の一部を、トレイ通路に対応する幅で底面と同一平面にした、所謂西洋式トレイを使用した温冷配膳車が使用されているが、前記トレイを温冷配膳車に搭載するに当り、温蔵域と冷蔵域に区分する仕切部に設けられたトレイ通路のシャッターを、前記トレイで摺動又は押上動することで、持上げながら押し込んで、トレイ通路に嵌入させ、トレイを所定の位置に搭載していた。【０００３】しかしながら、いずれの温冷配膳車も、トレイ上面で摺動・押上動し嵌入するため、トレイ上下面にシャッターとの摩擦傷をつけることは、避けられない問題があった。そこで仕切フェース部の外から前記仕切フェース部を貫通し、仕切部の内部に通じるガイドロッドを設け、トレイ挿入時に、前記ガイドロッドの突出端部を、仕切フェース部の外部から押し引きし、前記仕切部の内部のガイドロッドに設けた楔状部材で、シャッターを開閉する構造が、実開平２−３７０３４号公報として公開されている。
【先行技術文献】
【特許文献】
【０００４】
【特許文献１】実開平２−３７０３４号公報
【特許文献２】特許第４１０５４７７号公報
【特許文献３】特許第２９６７２２６号公報
【特許文献４】特開平７−２７５１３４号公報
【特許文献５】ＥＰ１５１８４８６Ｂ１明細書
【発明の概要】
【発明が解決しようとする課題】
【０００５】  しかしながら、前記実開平２−３７０３４号公報にある、仕切フェース部表面から扉側へ突出するガイドロッドの突出端部が、扉側接触面を傷つけ、清掃時には障害物となる問題があった。また正面扉と背面扉のどちらか一対の扉が解放し、反対側が閉鎖している場合は、仕切板内部のガイドロッド上の楔状部材のテーパー面が逆行して干渉し、トレイを搭載又は排出できないため、正面扉と背面扉の開閉動作とシャッターの開閉動作を一致させる双方向性が、阻害される問題があった。また、平板状トレイを搭載する特許２９６７２２６号公報にあっては、下部シャッター部材が、仕切フェース部の表面より扉側に突出し、扉側と衝突干渉するため、扉側に突出した下部シャッター部材の移動位置に対応するように、扉側の衝突干渉部の位置の前記扉の枠の位置を変更する必要があり、扉継ぎ足し部材を設け都度継ぎ足し位置の変更を行い、特許第４１０５４７７号公報にあっては、下部シャッター受け入れ溝を扉部材に追加するなどの複雑な構造の扉を設ける必要が有るなどの問題があった。【０００６】  本発明は、上記の問題を解決するため、仕切フェース部の表面側に、仕切部側のシャッターの開閉を行うために連携する、何等の貫通物や突出物を持たずに、扉側かスイング部側又は、双方に設けた磁石の磁力により、仕切フェース部を介して、仕切板の内部のスイング部を開閉させ、これに連動してシャッターをトレイで摺動・押上動することなく開閉するマグネット式シャッター開閉機構を備え、且つ、前記シャッター開閉機構は、正面と背面の扉の開閉とも矛盾なく連動する双方向性を備え、仕切壁の位置が扉枠以外の扉部材面にある場合でも、扉部材と干渉する一切の突出物や貫通物がなく、扉部材面に仕切フェース部を密着できるため、扉枠以外の扉部材面に磁性体金属を貼り付けるか又は磁石を貼付けて前記扉の開閉と連動するシャッター開閉機構で、トレイ上の任意の位置で、温蔵部と冷蔵部に区分できる配膳車を提供し、併せてシャッターを上下に分割し、切断面側に磁性体金属を設け、分割された側の切断面に磁石を設け、反転又は分離交換し、新たなトレイ表面と当接する着脱可能なシャッター部材を提供することにより、所謂分離帯付きトレイと所謂西洋式トレイ又は平板状トレイとの、併用可能な当接面形状とトレイ通路の通過高さの異なるトレイとの、互換性を確保した、扉の開閉と連動する、双方向性をもつマグネット式シャッター開閉機構を備える配膳車を構成するものである。
【課題を解決するための手段】
【０００７】  上記の課題を解決するため本発明は、請求項１に記載したように、仕切板１と仕切フェース部２とシャッター３からなる仕切部４を貫通ロッド２４．２５で支持し、温冷配膳車１４内部に縦一列に複数段並べ仕切壁６とし、前記仕切部４のシャッター３でトレイ通路５を開閉し、トレイ７上を横断して温蔵域８と冷蔵域９に区分し、筐体側１０に開閉ヒンジ１１を持つ正面扉１２と背面扉１３を備える箱型の温冷配膳車１４であって、前記仕切板の正面側端部１ａ近傍の内面又は正面側の仕切フェース部の裏面２ａ−ｂの上端近傍２ａ−ｃ又は、シャッター収納部上端部３ａ−ｔ近傍にヒンジ支点１５ａを設け、前記ヒンジ支点１５ａから磁性体金属１６ａ−ｍｔのスイング板１６ａ又は、前記スイング板１６ａに磁石１７ａ−ｍｇ．１７ｍｇ−ａを収納した磁石収納ケース１７ａ−ｃ．１７ｃ−ａを取り付けてスイング部１８ａとし、前記仕切フェース部の裏面２ａ−ｂと前記スイング部１８ａ間にバネ１９ａを設け、前記仕切フェース部２ａに当接する扉パッキン４７ａ内に、磁石４７ａ−ｍｇ，４７ｍｇ−ａ又は磁性体金属４７ａ−ｍｔ，４７ｍｔ−ａを設け、同じく対向するスイング部にも、磁石１７ａ−ｍｇ，１７ｍｇ−ａ又は磁性体金属板１６ａ−ｍｔを設け、前記正面扉の開閉により前記スイング部が磁力圏内に入脱し、前記スイング部１８ａを開閉自在とし、前記スイング部の下端部１８ａ−ａに前記トレイ通路５と並行する案内棒２０ａを連結し、前記仕切板下端部１ｅから出没自在にトレイ通路５を上下するシャッター３ａ．３ｂの内面３ａ−ａ．３ｂ−ａに、紐２１ａの一端を結び始点２１ａ−ａとし、他端を、前記仕切板の内部に設けた紐用ローラー２２ａを介して、前記案内棒２０ａに終点２１ａ−ｂとして結び、前記スイング部１８ａの開閉に連動する前記案内棒２０ａ上の、紐の終点２１ａ−ｂの左右動により、前記紐用ローラー２２ａを介して前記シャッターが上下し、前記トレイ通路５の開閉を行なう、前記正面扉１２の開閉と連動する、シャッター開閉機構を備える仕切部４を備えてなる温冷配膳車であって、
Ａ）前記仕切フェース部２ａを開口部とし、左右に開閉する観音開き型扉２３ａ−ｌ．２３ａ−ｒを、正面扉１２と背面扉１３として備え、
Ｂ）前記シャッター３ａ．３ｂが出没する前記トレイ通路５は、搭載するトレイ７ａ．７ｂのトレイ通路通過部高さ又は、立上勾配部の縁の高さより高いトレイ通路とし、温蔵域８と冷蔵域９に跨ってトレイ７ａ．７ｂ上を横断して、所定の位置にトレイ７ａ．７ｂを搭載し、
Ｃ）前記シャッター３ａ．３ｂの下端面３ｃは、搭載するトレイ７ａ．７ｂの内表面７ｃに当接する形状の面を持ち、温蔵域８と冷蔵域９を区分し、
Ｄ）前記スイング部１８ａと前記仕切フェース部２ａの裏面２ａ−ｂ間にバネ１９ａを設け、前記磁力圏内から離脱した前記スイング部１８ａを、前記トレイ通路高さに相当する開き幅５−Ｌ１で止めるストッパー３５ａを、前記仕切板内部に設けて、
Ｅ）前記スイング部１８ａの下端部１８ａ−ａ側に、前記トレイ通路５と並行する前記案内棒２０ａの一端を連結２０ａ−ａし、前記スイング部１８ａの開閉に連動して、前記案内棒２０ａが前記トレイ通路５に対応する距離を、左右に移動し、
Ｆ）前記案内棒２０ａの末端部２０ａ−ｂは、前記正面側スイング部１８ａが前記正面側ストッパー３５ａまで移動した時、背面側スイング部１８ｂに触れない長さとし、
Ｇ）前記スイング部１８ａが開閉した時に、前記末端部２０ａ−ｂから前記案内棒２０ａの重心２０ａ−ｃを超えない位置で、前記案内棒２０ａの支持用ローラー２０ａ−ｒを設けて、前記案内棒２０ａをトレイ通路に並行に支持し、
Ｈ）前記シャッター３ａ．３ｂの上下動用紐２１ａを、前記シャッター３ａ．３ｂの内面３ａ−ａ．３ｂ−ａ上に前記シャッターの重心３ａ−ｃ．３ｂ−ｃ又は、重心から左右等間隔に、始点２１ａ−ａとして結び、垂線上に各々の上下動用紐２１ａを伸ばし、
Ｉ）前記始点２１ａ−ａからの紐を架ける各々の前記紐用ローラー２２ａの中心２２ａ−ｃを、前記始点から見て背面１３側に向かう方向で、且つ前記紐用ローラー２２ａが頂点となる近傍の上を、前記案内棒２０ａが通過する位置の仕切板内部１ｉに設け、
Ｊ）前記スイング部１８ａが前記仕切フェース部２ａの裏面２ａ−ｂに密着したとき、前記シャッター３ａ．３ｂを直下段の仕切部側に、トレイ通路高さ相当分５−Ｌ１下げた状態で、前記紐用ローラー２２ａを介して背面１３側の前記案内棒２０ａ上に、前記シャッター側の始点からの紐２１ａを終点２１ａ−ｂとして結び、
Ｋ）なお、前記スイング部１８ａを吸着するに当たっては、正面扉１２側ドアパッキン内に磁石４７ａ−ｍｇ．４７ｍｇ−ａを設ける場合や、スイング部１８ａ側に磁石１７ａ−ｍｇ．１７ｍｇ−ａを設け、対抗する側に磁性体金属を配置する場合又は、前記正面扉側扉パッキン内磁石４７ａ−ｍｇ．４７ｍｇ−ａと前記スイング部１８ａ側磁石１７ａ−ｍｇ，１７ｍｇ−ａの、双方に磁石を備える場合があるが、双方に磁石を備えるときは、開閉するそれぞれの前記観音開き型扉２３ａ−ｌ，２３ａ−ｒ側磁石４７ａ−ｍｇ．４７ｍｇ−ａが密着する仕切フェース部２ａの裏側面２ａ−ｂに対向する位置の、前記スイング板１６ａに、上下をピン１７ａ−ａで回転自在に保持した、前記磁石収納ケース１７ａ−ｃ．１７ｃ−ａを各々に設け、前記磁石収納ケース１７ａ−ｃ．１７ｃ−ａに収納された磁石１７ａ−ｍｇ．１７ｍｇ−ａが、各々の対向する扉側磁石４７ａ−ｍｇ．４７ｍｇ−ａの磁極に対応する極性になるように、上下ピン１７ａ−ａを軸に回転し、前記スイング部１８ａを吸着し、
Ｌ）前記仕切フェース部２ａに前記観音開き型扉２３ａ−ｒ．２３ａ−ｌの一方又は両方が閉じて密着したとき、前記スイング部１８ａが、前記仕切フェース部２ａの裏面側２ａ−ｂに吸引され、前記案内棒２０ａ上の紐の終点２１ａ−ｂも、前記仕切フェース部２ａ側に移動し、前記紐用ローラー２２ａを介して巻き下がり、これに連動して、前記シャッター３ａ．３ｂが重力方向に下垂し、前記トレイ通路５に搭載されたトレイ７ａ．７ｂの内表面７ｃに当接し、温蔵域８と冷蔵域９のトレイ通路５を塞ぎ、
Ｍ）逆に、前記観音開き型扉２３ａ−ｌ，２３ａ−ｒが左右伴に開放する事により、前記スイング部１８ａが磁界から離脱した時は、前記スイング部１８ａが前記ストッパー３５ａまで移動するため、連動する前記案内棒２０ａ上の前記紐の終点２１ａ−ｂも、背面１３側に移動し、前記紐用ローラー２２ａを介して、前記紐のシャッター側始点２１ａ−ａが、前記シャッター３ａ．３ｂを伴って上昇し、トレイ通路５を開放する、前記正面扉１２の開閉と連動する、シャッター開閉機構を備へ、
Ｎ）前記正面扉１２の開閉と連動するシャッター開閉機構を、背面側１３仕切部内４にも同様に設け、双方の前記シャッター開閉機構に共通する前記シャッター３ａ．３ｂの内面３ａ−ａ．３ｂ−ａに、背面側シャッター開閉機構の紐２１ｂの一端を、始点２１ｂ−ａとして結び、背面１３側シャッター開閉機構の紐用ローラー２２ｂを介して、前記背面１３側シャッター開閉機構用の案内棒２０ｂ上の正面扉１２の方向に、同様に前記背面１３側シャッター開閉機構の紐２１ｂの終点２１ｂ−ｂを設けて連絡し、背面扉１３の開閉により、前記背面１３側のスイング部１８ｂが磁力圏内外になることにより、連動する背面１３側シャッター開閉機構の案内棒２０ｂが左右に移動して、前記トレイ通路５の共通するシャッター３ａ．３ｂを開閉し、
Ｏ）前記正面扉１２および背面扉１３の何れか一方が解放し、他方の扉が閉じた場合は、閉鎖側の他方の扉１２の開閉と連動する前記シャッター開閉機構の紐２１ａは、前記シャッター３ａ．３ｂを下垂する方向に移動するが、解放側の一方の扉１３の開閉と連動するシャッター開閉機構により、前記シャッター３ａ．３ｂが上昇し、閉鎖側の他方の扉の正面側１２のシャッター開閉機構により下垂した紐２１ａは、撓むのみで、解放側の一方の扉の背面側１３のシャッター開閉機構のシャッターの上昇動作を阻害しないため、各々の扉の開閉と連動するシャッター開閉機構は、双方の扉の開閉と矛盾なく連動する双方向性を有するシャッター開閉機構となり、トレイ７ａ．７ｂ搭載にあたり、シャッター３ａ．３ｂをトレイ７ａ．７ｂとの摩擦による摺動・押上動することなく温冷配膳車１４内に搭載・排出する事を可能とする、前記正面扉１２と背面扉１３の双方の扉の開閉と連動する、双方向性を持つシャッター開閉機構を備える事を特徴とする温冷配膳車を構成したものである。【０００８】また、本発明は、上述した課題を解決するために、請求項２に記載したように、平板状トレイ２６を前記トレイ通路５に搭載するに当り、前記平板状トレイ２６ａ．２６ｂの上に出没自在に上下するシャッター３ａ．３ｂのトレイ側の形状は、前記平板状トレイ２６の内表面２６ｃに当接するシャッター形状３９とし、
Ａ）前記平板状トレイ２６ａ．２６ｂの搭載時に、前記平板状トレイ２６の裏面２６ｄの立上勾配部２７と、前記トレイ通路５の直下段の仕切板の仕切フェース部（２ａ．２ｂ）の上部近傍に生じる、正面側と背面側の挿入部隙間２８ａ．２８ｂと、
Ｂ）前記平板状トレイ２６が、前記トレイ通路５上の所定の位置に搭載された時、隣接する双方の前記平板状トレイ２６の立上勾配部２７の裏側に生じる、山状をなす中間部隙間２９を遮蔽するため、両端部の前記挿入部隙間２８ａ．２８ｂに当接するシャッター形状を持つ、挿入部シャッター３０ａ．３０ｂと、前記中間部隙間２９に当接するシャッター形状を持つ、山状シャッター３１を設け、各々のシャッターを収納する収納ケース３０ａ−ｃ．３０ｂ−ｃ．３１−ｃを、各々直下の位置の平板状トレイ用仕切板の上端部４ｂ−ｔに埋設し、
Ｃ）前記各々のシャッター３０ａ．３０ｂ．３１と前記各々のシャッターの収納ケース３０ａ−ｃ．３０ｂ−ｃ．３１−ｃとの間にバネ３２ａ．３２ｂ．３２ｃを設け、常時は各々のシャッターが、前記収納ケース３０ａ−ｃ．３０ｂ−ｃ．３１−ｃから上部のトレイ通路５に突出するように伏勢し、
Ｄ）正面側の挿入部シャッター３０ａと山状シャッター３１の下端面側に、個別に紐３３ａを結び始点３０ａ−ａ．３１ａ−ａとし、
Ｅ）前記始点３０ａ−ａ．３１ａ−ａから紐３３ａを垂直に下げ、背面側１３の仕切フェース部２ｂが在る方向で頂点となる近傍を、前記正面扉１２の開閉と連動するシャッター開閉機構の案内棒２０ａが通過する位置に、前記正面側の挿入部シャッター３０ａと山状シャッター３１の上下用ローラー３０ａ−ｒ．３１ａ−ｒの中心３０ａ−ｃ，３１ａ−ｃを各々設け、各々のシャッター上下用ローラー３０ａ−ｒ．３１ａ−ｒを介して、正面側スイング部１８ａが、前記仕切フェース部２ａの裏面２ａ−ｂに吸着されたとき、
Ｆ）前記正面側の挿入部シャッター３０ａと山状シャッター３１が、トレイ通路５を閉じる高さに相当する長さ５−Ｌ１を、各々のシャッター上下用ローラー３０ａ−ｒ．３１ａ−ｒを介して、前記正面扉１２の開閉に連動する案内棒２０ａ上の背面側仕切フェース部側２ｂの方向に、各々同様に終点３０ａ−ｂ．３１ａ−ｂとして結び、
Ｇ）同様に背面側の挿入部シャッター３０ｂと山状シャッター３１とを、各々別の紐３３ｂで結び始点３０ｂ−ａ．３１ｂ−ａとし、前記各々のシャッター上下用ローラー３０ｂ−ｒ．３１ｂ−ｒの中心を３０ｂ−ｅ，３１ｂ−ｅとし、前記各々のシャッター上下用ローラーを介して、背面扉１３の開閉と連動するシャッター開閉機構用の案内棒２０ｂ上の正面側１２に向かう方向に、各々同様に終点３０ｂ−ｂ．３１ｂ−ｂとして結び連絡するが、
Ｈ）山状シャッター３１は、正面側１２及び背面側１３のシャッター開閉機構の案内棒２０ａ．２０ｂと連絡する、２本の紐３３ａ．３３ｂの始点を持つため、シャッター開閉機構の扉が全開する時、全開した正面扉１２のシャッター開閉機構に連動する山状シャッター３１の紐３３ａは下降し、前記収納ケース３１−ｃに山状シャッター３１を収納するが、閉鎖した背面扉１３の前記山状シャッター３１の紐３３ｂは、トレイ通路高さに相当する長さ分上昇しようとするが、上昇する側の紐３３ｂは、撓むのみで、山状シャッター３１を突き上げないため、正面側１２のシャッター開閉機構の収納動作を阻害せず、山状シャッター３１は、正面側１２のシャッター開閉機構にのみ支配されて前記収納ケース内３１−ｃに収納され、トレイ通路５を解放するが、
Ｉ）その際、正面側１２の挿入部シャッター３０ａは、全開した正面側１２シャッター開閉機構に支配されて前記収納ケース３０ａ−ｃに収納され、閉鎖した背面側１３の挿入部シャッター３０ｂは、全閉鎖した背面側１３シャッター開閉機構に支配されるため、トレイ通路５を閉鎖するが、全開した正面側１２からのトレイ２６ａ．２６ｂの搭載と排出作業に際しては、なんら弊害とならず、
Ｊ）正面１２と背面１３の双方の扉が解放された場合は、正面側１２及び背面側１３の挿入部シャッター３０ａ．３０ｂと山状シャッター３１は、全て各々収納ケース内３０ａ−ｃ．３１−ｃ．３０ｂ−ｃ．に収納埋没するため、
Ｋ）前記平板状トレイ２６ａ．２６ｂの前記挿入部シャッター３０ａ．３０ｂと前記山状シャッター３１及び、平板状トレイの内表面に当接する面を持つ平板状トレイ用シャッター３９ａ．３９ｂの全てを、双方の扉の開閉に連動して矛盾なく開閉する、平板状トレイ用の双方向性を持つシャッター開閉機構を備える請求項１に記載の温冷配膳車を構成するものである。【０００９】  さらに、本発明は、上述した課題を解決するために、請求項３に記載したように、前記平板状トレイ２６に対応した仕切部４ｂと、シャッター開閉機構を持つ温冷配膳車に、開放斜面状の立上勾配部の囲い縁を持つトレイを横断して、前記トレイの底面の一部をトレイ通路通過部として囲い縁の高さになるように凸状に盛り上げた分離帯付きトレイ４３と、逆に開放斜面状の立上勾配部の囲い縁を持つトレイの囲い縁の一部を、トレイ通路通過部としてトレイ底面と同一面にした一部平坦面部４４をもつ西洋式トレイ４２を併用するため、前記平板状トレイ２６の挿入部シャッター３０ａ．３０ｂと山状シャッター３１の近傍の仕切板上端面直下に、前記挿入部シャッター３０ａ．３０ｂと山状シャッター３１を前記仕切板内部に格納し蓋をする、スライド板３４ａ．３４ｂ．３４ｃを設け、
Ａ）前記平板状トレイ用シャッター３９ａ．３９ｂを、分離帯付きトレイ４３の高さで前記仕切板下端面１ｅと並行に上下に分割し、上部仕切板側をベースシャッター４０ａ．４０ｂとし、切断面上に磁性体金属４０ａ‐ｍｔ．４０ｂ‐ｍｔを備え、分割された側の前記平板状トレイ用シャッター（３９ａ．３９ｂ）の分割面に磁石４６ａ‐ｍｇ．４６ｂ‐ｍｇを備えて、平板状トレイ用分離シャッター４６ａ．４６ｂとして温冷配膳車の外部に保管し、
Ｂ）前記分割されたトレイ通路高さの欠損分４８に相当する、分離帯付きトレイ４３の分離帯面の裏面４３ｄに当接する、板状の空間３７を埋める着脱シャッター４１を用意し、前記着脱シャッター４１の前記ベースシャッター側面４１ａ‐ａ．４１ｂ‐ａに、磁石４１ａ‐ｍｇ．４１ｂ‐ｍｇを装着して吸着させて、
Ｃ）前記分離帯付きトレイ４３搭載時は、前記着脱シャッター分離面４１ａ‐ａ．４１ｂ‐ａで分離反転し、前記トレイ用通路の直下段の仕切板の上端部４ｃ‐ｔに吸着させ、直下段の挿入部シャッター３０ａ．３０ｂと山状シャッター３１を前記着脱シャッター４１ａ．４１ｂにより、直下段の仕切板の前記各々のシャッターの前記収納ケース内に埋没させ、前記分離帯付きトレイ４３の搭載を阻害させず、また扉の開閉により、直下段のシャッター開閉機構の挿入部シャッター３０ａ．３０ｂと山状シャッター３１と連動する各々の紐３３ａ．３３ｂが、前記直下段の仕切板の前記各々のシャッターの収納ケース内部で上下するが、上昇する際には、挿入部シャッター３０ａ．３０ｂ用紐と山状シャッター３１用紐３３ａ．３３ｂは、撓むのみで、挿入部シャッター３０ａ．３０ｂと山状シャッター３１をトレイ通路５上に突出させず、下降するときは、着脱シャッター４１ａ，４１ｂによって事前に埋設されて撓んだ分の紐の長さに相当する分が、案内棒上の各紐の終点の移動長さとなり、撓みを解消するのみとなり、ベースシャッターの切断面４１ａ‐ａ，４１ｂ‐ａを新たなトレイ通路として、何ら分離帯付きトレイ４３の搭載と排出を阻害しない前記扉の開閉と連動する、双方向性を持つシャッター開閉機構による分離帯付きトレイの併用性を確保でき、
Ｄ）前記西洋式トレイ４２を挿入する際は、あらかじめ前記着脱シャッター４１ａ．４１ｂを手で分離して、前記スライド板３４ａ．３４ｂ．３４ｃを手でスライドさせ、前記挿入部シャッター３０ａ．３０ｂと前記山状シャッター３１を前記仕切板の前記各々のシャッターの前記収納ケース内に格納し、
Ｅ）前記着脱シャッター４１ａ．４１ｂの磁石装着側４１ａ‐ｍｇ．４１ｂ‐ｍｇ面を、前記ベースシャッター４０ａ．４０ｂの下端面４０ａ‐ａ．４０ｂ‐ａの磁性体金属板４０ａ‐ｍｔ，４０ｂ‐ｍｔに吸着させ一体化し、前記着脱シャッター４１ａ．４１ｂの下端面４１ａ‐ｂ．４１ｂ‐ｂを、西洋式トレイ４２の当接する新たなトレイ通路５として、前記扉の開閉と連動する、双方向性を持つシャッター開閉機構により開閉し、
Ｆ）平板状トレイ２６を使用する際は、前記着脱シャッター４１ａ．４１ｂを手で分離して、温冷配膳車１４外部に保管し、前記スライド板３４ａ．３４ｂ．３４ｃを手でスライドさせ、格納した前記挿入部シャッター３０ａ．３０ｂと山状シャッター３１を解放し、前記平板状トレイ２６の内表面に当接する形状の保管した前記平板状トレイ用分離シャッター４６ａ．４６ｂに交換して、磁石４６ａ‐ｍｇ．４６ｂ‐ｍｇで前記ベースシャッター４０ａ．４０ｂの下端面４０ａ‐ａ．４０ｂ‐ａの磁性体金属板４０ａ‐ｍｔ，４０ｂ‐ｍｔと一体化させて復帰し、前記平板状トレイの内表面に当接する下端面形状を持つシャッターとし、前記正面扉及び背面扉の開閉と連動する、双方向性を持つシャッター開閉機構により開閉し、
Ｇ）平板状トレイ２６と分離帯付きトレイ４３および西洋式トレイ４２の何れにも併用性を持った、其々のトレイ当接面形状の違うシャッターへの交換を可能にする、前記扉の開閉と連動する双方向性を持つシャッター開閉機構を有する請求項２に記載の温冷配膳車を構成するものである。
【発明の効果】
【００１１】  以上述べたとおり、本発明は第一に請求項１の構成要件で構成されているので、トレイ７ａ．７ｂをトレイ通路５に搭載するに当たり、シャッター３ａ．３ｂとの摺動・押上動によるトレイ７ａ．７ｂの搭載を廃止し、トレイ７ａ．７ｂ搭載時にシャッター３ａ．３ｂとの摩擦によりトレイ７ａ．７ｂを傷付けることなく搭載できるトレイ７ａ．７ｂ搭載方法を提供する事が、可能である。したがって、前記シャッター開閉機構を正面１２と背面１３側双方の仕切板内部に搭載し、前記シャッター３ａ．３ｂを開閉するに当たり、相互にシャッター３ａ．３ｂの上下動を阻害しない、扉１２．１３の開閉と連動する双方向性を持つシャッター開閉機構を有する配膳車を提供するものである。
第二に、請求項１の構成要件に請求項２の構成要件を追加した場合は、平板状トレイ２６の搭載・排出に対しても第一と同様な効果が得られる。
第三に、前記の構成に請求項３の構成要件を追加した場合は、前記平板状トレイ用仕切部４ｂのシャッター３９ａ．３９ｂを上下に分割し、分割されて仕切板側に残るシャッター側４０ａ．４０ｂに、磁性体金属４０ａ‐ｍｔ．４０ｂ‐ｍｔを備え、分割された平板状トレイと当接する面形状のシャッター３９ａ．３９ｂの切断面側４６ａ‐ａ．４６ｂ‐ａに磁石４６ａ‐ｍｇ．４６ｂ‐ｍｇを設け、分離反転又は配膳車１４の外部に保管できるようにし、欠損部となったトレイ通路に対応する、新たな板状の着脱シャッター４１ａ．４１ｂを提供することにより、必要に応じて着脱シャッター４１ａ．４１ｂを反転して、トレイ通路のシャッターの開閉高さ５‐Ｌ１を変更し、または保管した平板状トレイ用分割シャッター４６ａ．４６ｂと交換し、分離帯付きトレイ４３と西洋式トレイ４２又は平板状トレイ２６との併用性を確保した、扉の開閉と連動する双方向性をもつシャッター開閉機構を備える事が出来る。
第四に、トレイ搭載時にトレイをシャッターとの摺動・押上動により勘合する従来の温冷配膳車においては、トレイ搭載時にトレイ通路に進入するトレイの先端面とシャッターの最初の接触面は、進入するトレイを受け入れやすくするために、カム面を持つエンドピース部材や、シャッター自体の前記先端面をＲ面に加工するなどの形状を必須とするが、本発明のシャッター開閉機構のシャッターは、トレイ搭載に当り扉の開閉動作により、事前にシャッターはトレイ通路から各トレイに対応する仕切板の各々のシャッターの収容ケース内に収納されるため、トレイ通路に進入するトレイの先端面と接触する必要はなく、分離帯付きトレイ用仕切部のシャッター、平板状トレイ用仕切部の挿入部シャッター３０ａ，３０ｂ、西洋式トレイ用仕切部のシャッター、ベースシャッター４０ａ，４０ｂ、さらに着脱シャッター４１ａ，４１ｂの何れのシャッターに於いても、トレイの進入側と対面する各シャッター端面部はトレイの先端面に対して何らカム面を必要としないため、垂直面とする事が可能となり、従来のシャッターに於いては、必須とされるカム面やＲ面（特開平７‐２７５１３４公報の昇降レール１９の突条）（特許第２９６７２２６号公報の１０シャッタ部材）（特許第４１０５４７７号公報の４ｂ下部シャッタ）のカム面の隙間を塞ぎ、左右の温蔵域と冷蔵域との気密性の向上や、扉と仕切フェース部とシャッターの先端部との密着性を向上させることが出来る。
第五に、前記仕切フェース部２ａ．（２ｂ）に何らの突起物がない為、扉１２．（１３）との衝突干渉が無く、故に扉側１２．（１３）に何らの継ぎ足し部材を加える事なく、扉枠部４５以外の位置の扉部材面４５ａ．（４５ｂ）に仕切壁６を設けても、扉枠以外の扉部材面側４５ａ．（４５ｂ）に、磁石４５ａ‐ｍｇ．（４５ｂ‐ｍｇ）又は磁性体金属４５ａ‐ｍｔ．（４５ｂ‐ｍｔ）を貼り付ける事によって、前記扉の開閉と連動する双方向性を持つシャッター開閉機構を備える事が可能であり、トレイ上の任意の位置で温蔵域と冷蔵域を区分でき、請求項１〜請求項３に記載する何れか１項に記載する配膳車に於いても、トレイ幅上の任意の位置で温蔵部と冷蔵部に区分するコンパクトな配膳車を提供するものである。
【図面の簡単な説明】
【００１２】
【図１】は、正面側の観音開き型扉を開いた状態の温冷配膳車を示す略全体図である。
【図２】は、図１の温冷配膳車の内部を示す仕切壁中段での略水平断面図であり、正面側の観音開き型扉と背面側の観音開き型扉を９０度開放し、トレイを跨って温蔵部と冷蔵部に区分する仕切壁と、扉側パッキンと扉側パッキン内の磁石の配置を示す略断面図である。
【図３】は、トレイ通路に搭載した各シャッターが、仕切フェース部に接近する扉の磁石又は磁性体金属と、仕切板内部のスイング部の磁石又は磁性体金属が互いに磁力圏内に入脱する事による案内棒の左右動により、シャッターと連絡する紐で、シャッターの上下動に替える分離帯付きトレイ用仕切部のシャッター開閉機構の説明図である。上段は正面側扉が全開した時の、正面側シャッター開閉機構の説明図である。また下段は背面側扉が全開し正面側扉が閉鎖した時の背面側シャッター開閉機構の説明図である。
【図４】は、分離帯付きトレイ用仕切部の仕切フェース部を除いた内部のシャッター開閉機構の説明図で上段が、上下をピンで回転自在とする磁石収納ケース内に磁石を取り付けたスイング部の説明図である。下段は磁性体金属のスイング板を取り付けた説明図である。
【図５】は、平板状トレイ用仕切部のシャッター開閉機構の説明図である。上段は正面側扉及び背面側扉の双方が全閉鎖した時の、シャッター開閉機構の説明図である。下段は正面側スイング部が全開し背面側スイング部が全閉した時の、シャッター開閉機構の説明図である。
【図６】は、平板状トレイ用仕切板にスライド板と着脱シャッターを追加した平板状トレイ併用用仕切板のシャッター開閉機構の説明図である。
【図７】は、ベースシャッターに取付ける各着脱シャッターの、交換及び反転時の配置説明図である。
【図８】は、平板状トレイ併用用仕切部を分離帯付きトレイと西洋式トレイの併用型とし、分離帯付きトレイを搭載した場合の、着脱シャッターの配置説明図である。
【図９】は、平板状トレイ併用用仕切部を分離帯付きトレイと西洋式トレイの併用型とし、西洋式トレイを搭載した場合の、着脱シャッターの配置説明図である。
【図１０】は、平板状トレイ併用用仕切部を分離帯付きトレイと西洋式トレイの併用型とし、平板状トレイを搭載した場合の平板状トレイ用分離シャッターの配置説明図である。
【図１１】は、西洋式トレイ用仕切部にベースシャッターと着脱シャッター装着したシャッター開閉機構の説明図である。
【図１２】は、西洋式トレイ用仕切部のシャッターを上下に分割し、分離帯付きトレイとの併用型とし、分離帯付きトレイを搭載した場合の着脱シャッターの配置説明図である。
【図１３】は、西洋式トレイ用仕切部のシャッターを上下に分割し、分離帯付きトレイとの併用型とし、丙洋式トレイを搭載した場合の着脱シャッター反転装着時の配置説明図である。
【図１４】は、扉枠部材以外の面に磁性体金属又は磁石を貼り付けた温冷配膳車の略全体図である。
【図１５】は、図１４の温冷配膳車の仕切壁の中段での略水平断面図である。
【発明を実施するための形態】
【００１３】（第一実施形態）
以下、本発明の一実施例を図に基づいて説明する。図１は本製品の外観図である。図２は図１の仕切壁６の中段での水平断面図であり、観音開き型扉２３（２３ａ−ｌ．２３ａ−ｒ）を正面側１２と背面側１３（２３ｂ−ｌ，２３ｂ−ｒ）に備え９０度開いた場合を示す。各段の仕切部４内部に双方の観音開き型扉の開閉と連動するシャッター開閉機構を備え、扉枠４５側のドアパッキン４７ａ内部に磁石４７ａ−ｍｇ．４７ｍｇ−ａを持ち、且つ図４に示す仕切板内部のスイング板１６ａに磁石収納ケース１７ａ−ｃ．１７ｃ−ａを持つシャッター開閉機構を持つ温冷配膳車で、温蔵域８．と冷蔵域９と外気を遮断するが、一組の観音開き型扉２３（２３ａ−ｌ．２３ａ−ｒ）のどちらか一枚（例えば２３ａ−ｌ）が解放された場合は、閉じている状態の他方２３ａ−ｒの前記観音き型扉の磁石４７ｍｇ−ａ又はスイング部１８ａの磁石１７ｍｇ−ａにより、仕切板内部のスイング部１８ａは正面側仕切フェース部裏面２ａ−ｂ側に吸引された状態を維持し、前記シャッターの紐２１ａは下垂した状態を保ち、シャッター３ａ．３ｂはトレイ通路５を閉じたまま維持され、扉を開けた側２３ａ−ｌは扉の解放により温蔵域８の熱を外気に解放するが、扉２３ａ−ｒが閉じている側の冷蔵域９は、扉を開けた側２３ａ−ｌの温蔵域８の熱と外気からは遮蔽され、温冷配膳車１４外にもれることがなく、前記冷蔵域９内の温度は維持することができる。
【００１４】正面側１２扉とスイング部１８ａを基準に説明すると、正面側１２の一組の観音開き型扉２３ａ−ｒ．２３ａ−ｌが２枚とも開き、背面側１３の一組の観音開き型扉２３ｂ−ｌ．２３ｂ−ｒが２枚とも閉じている場合又は背面側の一組の観音開き型扉２３ｂ−ｌ．２３ｂ−ｒのどちらか１枚（例えば２３ｂ−ｌ）が閉じている場合は、図３に示す通り、閉じている側の案内棒２０ｂとシャッター３ａ，３ｂとを連絡する紐２１ｂは、シャッター３ａ，３ｂ側に下垂しているが、正面側１２の扉２３ａ−ｌ，２３ａ−ｒが開放されているために、シャッター３ａ．３ｂは正面側の案内棒２０ａと連絡する紐２１ａにより、シャッター３ａ，３ｂを上昇させ、その分背面側案内棒２０ｂと連絡して下垂した紐２１ｂは、単に撓むのみで、なんら正面側の案内棒２０ａに連動する紐２１ａによるシャッター３ａ，３ｂの上昇動作を阻害せずにシャッター３ａ，３ｂを上昇させて、安全にトレイ７ａ，７ｂを搭載又は排出できる。
【００１５】  したがって本発明のシャッター開閉機構は、一組の観音開き型扉の双方の扉（例えば２３ａ−ｌ．２３ａ−ｒ）が同時に解放した場合にのみ、前記観音開き型扉の開閉と連動しシャッター３ａ．３ｂを開閉し、且つ正面側１２と背面側１３の双方の扉１２．１３の開閉と連動する双方向性を持つシャッター開閉機構を有するため、盛り付け作業等で、何れか一枚の扉（例えば２３ａ−ｒ）の開閉時は、該当する扉の区分域（この場合は冷蔵域９）の庫内の空気を外気に開放するが、隣接する温度域８とのシャッター３ａ．３ｂは閉鎖されるため、最小限の熱エネルギーのロスに抑える事ができき、一方トレイ７ａ．７ｂの搭載時は、事前に前記観音開き型扉１２．１３をトレイ７ａ．７ｂの長手方向で完全に開放してからトレイ７ａ．７ｂを温冷配膳車１４内部に搭載する動作となるが、その際には本発明のシャッター開閉機構は既にトレイ通路５を解放し、搭載時に障害となるシャッター３ａ．３ｂはトレイ通路５上にないため、トレイ７ａ．７ｂとシャター３ａ．３ｂ間での摩擦による擦り傷を着けること無く、安全にトレイ７ａ．７ｂを搭載又は排出できる事を特徴とするものである。
【００１６】  図２及び図４に示す通り、観音開き型扉側２３ａ−ｌ．２３ａ−ｒとスイング部１８ａ側の双方に磁石（４７ａ−ｍｇ．４７ｍｇ−ａ），（１７ａ−ｍｇ．１７ｍｇ−ａ）を装着する場合は、観音開き型扉側の磁石４７ａ−ｍｇ．４７ｍｇ−ａの磁界の向きは扉枠４５に磁石４７ａ−ｍｇ．４７ｍｇ−ａが固定されているため変更することはできないが、スイング板１６ａ内に、上下をピン１７ａ−ａで回転自在に保持した前記磁石収納ケース１７ａ−ｃ．１７ｃ−ａを設け、前記磁石収納ケースに収納された磁石１７ａ−ｍｇ．１７ｍｇ−ａが、各々の観音開き型扉側磁石４７ａ−ｍｇ．４７ｍｇ−ａの磁極に対応する極性になるように上下ピン１７ａ−ａを軸に回転し、前記スイング部１８ａを吸着し、更に背面側の仕切部にも同様のシャッター開閉機構を搭載し、双方の扉の開閉と連動する双方向性を有するシャッター開閉機構をそなえる為、トレイ７ａ．７ｂ搭載にあたり全てのシャッターを事前に収納し、トレイ通路を開放し、、シャッター３ａ．３ｂを摺動・押上動することなく温冷配膳車１４内に収容・排出する事を可能とする前記双方向性を持つシャッター開閉機構を備える事を特徴とするものである。
【００１７】  （第二実施形態）
図５に示す通り、第二の実施形態として、平板状トレイ２６を搭載するために、前記双方向性を持つシャッター開閉機構に追加して、トレイ通路５の直下段の仕切板の上端部４ｂ−ｔと搭載した平板状トレイ２６の挿入部に生じる挿入部隙間２８を塞ぐ正面側挿入部シャッター３０ａ．及び背面側挿入部シャッター３０ｂと、正面側挿入部シャッター収納ケース３０ａ−ｃ．及び背面側挿入部シャッター３０ｂ−ｃ．と、隣接する２枚の平板状トレイ２６の立上勾配部２７と仕切板上端部４ｂ−ｔ間に生じる中間部隙間２９を塞ぐ山状シャッター３１と、その収納ケース３１ｃを仕切板１に追加し、各正面側及び背面側挿入部シャッター３０ａ．３０ｂ．と山状シャッター３１と、各正面側及び背面側挿入部シャッター収納ケース３０ａ−ｃ．３０ｂ−ｃ．と山状シャッター収納ケース３１−ｃ間に、正面側挿入部シャッター用バネ３２ａ、背面側挿入部シャッター用バネ３２ｂ、及び山状シャッター用バネ３２ｃを設け、常時は各シャッター３０ａ．３０ｂ．３１を仕切板から上方に突出するように付勢し、各シャッター３０ａ．３１に紐３３ａを結び、紐３３ａをシャッター３０ａ．３１からの紐用ローラー３０ａ−ｒ．３１ａ−ｒを介して、前記扉１２の開閉と連動するシャッター開閉機構の案内棒２０ａに、また、紐３３ｂをシャッター３０ｂ，３１から其々の紐用ローラー３０ｂ−ｒ，３１ｂ−ｒを介して前記背面側扉と連動するシャッター開閉機構の案内棒２０ｂに、前記トレイ通路高さ５−Ｌ１に相当する長さで何れも反対側の仕切フェース部のある方向に結び、例えば前記正面扉側１２のスイング部１８ａが磁界から離脱してトレイ通路高さに相当する距離５−Ｌ１で背面側１３仕切フェース部２ｂ側に移動した場合は、連動する案内棒２０ａの其々の紐の終点も移動するため、案内棒２０ａと連絡する挿入部シャッター３０ａ、山状シャッター３１、及び直下段の平板状トレイ２６の内表面２６ｃと当接するシャッター形状を持つ平板状トレイ用シャッター３９ａ．３９ｂを収納し、
【００１８】逆に背面側扉１３が解放した時は、背面側のシャッター開閉機構の案内棒２０ｂと連動する挿入部シャッター３０ｂ、山状シャッター３１、及び平板状トレイ用シャッター３９ａ．３９ｂを解放し、勿論正面１２と背面１３の全ての扉が全開した時は、挿入部シャッター３０ａ．３０ｂ、山状シャッター３１、及び平板状シャッター３９ａ．３９ｂの全てのシャッターが仕切板の各々のシャッターの収納ケース内に収納されてトレイ通路を全開し、トレイとの摺動・押上動する事がない、安全な平板状トレイ２６用の扉の開閉と連動するシャッター開閉機構を構成した温冷配膳車となる。
【００１９】  （第三実施形態）
第三に、平板状トレイ併用用仕切板２６ｆに分離帯付きトレイ４３ａ．４３ｂを併用するに当たり、図６及び図７に示す通り、平板状トレイ併用用仕切板２６ｆの下端面４ｂ−ｅから出没自在の上下する平板状トレイ２６の内表面２６ｃに当接するシャッター形状を持つシャッター３９ａ．３９ｂを、前記分離帯付きトレイ４３のトレイ通路通過部高さで仕切板２６ｅに並行に分離し、仕切板２６ｆ側の残る分割されたシャッターの下端面４０ａ−ａ．４０ｂ−ａに磁性体金属板４０ａ−ｍｔ．４０ｂ−ｍｔを設けベースシャッター４０ａ．４０ｂとし、分割された平板状トレイ２６との当接面を持つシャッターの切断面４６ａ−ａ．４６ｂ−ａに磁石４６ａ−ｍｇ．４６ｂ−ｍｇを取り付けて平板状トレイ用分割シャッター４６ａ．４６ｂとして温冷配膳車１４の外部に保存し、別途ベースシャッター４０ａ．４０ｂと直下段の仕切板の間に生じた欠損部分に分離帯付きトレイ４３のトレイ通路通過部の裏面３８に相当する板状の着脱シャッター４１ａ．４１ｂを用意し、ベースシャッター４０ａ，４０ｂの磁性体金属板４０ａ−ｍｔ．４０ｂ−ｍｔ側面に対応する磁石４１ａ−ｍｇ．４１ｂ−ｍｇを設けて反転し、
【００２０】直下段の平板状トレイ併用用仕切板２６ｆの上端部４ｂ−ｔから上に突出する挿入部シャッター３０ａ．３０ｂと山状シャッター３１を平板状トレイ併用用仕切板２６ｆの内部に伏勢し、伏勢された各シャッター３０ａ．３０ｂ．３１と仕切板内部で連絡する其々のシャッター開閉機構の案内棒２０ａ．２０ｂと連絡する紐３３ａ．３３ｂは、単に撓むのみとなり、着脱シャッター４１ａ．４１ｂの磁力により収納ケース内に伏勢された状態で保持され、なんら前記シャッター開閉機構を阻害しないので、図８に示す通り、前記反転した着脱シャッター４１ａ．４１ｂを分離帯付きトレイの裏面の凹み部４３ｄのガイドとして直下段の仕切板上に吸着させ、前記着脱シャッター４１ａ．４１ｂの磁石４１ａ−ｍｇ．４１ｂ−ｍｇの反対側で磁石を持たない面４１ａ−ｂ．４１ｂ−ｂを、トレイ通路５に於いて分離帯付きトレイの裏側の凹み部４３ｄの隙間を埋める直下段の仕切板と一体となって左右の温度域の隙間を区分させ、ベースシャッター４０ａ−ａ，４０ｂ−ａ面を分離帯トレイ４３の上面でのトレイ通路５として、分離帯付きトレイを搭載する前記扉と連動するシャッター開閉機構によりトレイ通路５を開閉する温冷配膳車を構成するもので有る。
【００２１】  また、前記平板状トレイ併用用仕切部４ｃに西洋式トレイ４２を搭載するに当たっては、図６に示す通り、前記着脱シャッター４１ａ．４１ｂを分離し、前記スライド板３４ａ．３４ｂ．３４ｃで挿入部シャッター３０ａ．３０ｂと山状シャッター３１をあらかじめ前記平板状トレイ併用用仕切板２６ｆ内部に格納し、図９に示す通り、前記着脱シャッター４１ａ．４１ｂの磁石４１ａ−ｍｇ．４１ｂ−ｍｇを前記ベースシャッター４０ａ．４０ｂの磁性体金属板４０ａ−ｍｔ．４０ｂ−ｍｔに吸着させ一体化し、前記着脱シャッターの磁石を持たない面４１ａ−ｂ．４１ｂ−ｂを西洋式トレイ４２のトレイ当接面としてトレイ通路５を前記扉の開閉と連動するシャッター開閉機構により開閉する温冷配膳車を構成するものである。
【００２２】  また、再び平板状トレイ２６を搭載する場合は図１０に示す通り、前記着脱シャッター４１ａ．４１ｂを分離して温冷配膳車１４外に取り外して保管し、前記スライド板３４ａ．３４ｂ．３４ｃを解放して挿入部シャッター３０ａ．３０ｂと山状シャッター３１を復帰突出させ、保管した前記平板状トレイ用分割シャッター４６ａ．４６ｂに交換し、磁石４６ａ−ｍｇ．４６ｂ−ｍｇで前記ベースシャッターの磁性体金属板４０ａ−ｍｔ，４０ｂ−ｍｔ面に吸着させ一体化し、平板状トレイ２６に当接するシャッター下端面３９を持つ前記平板状トレイ２６を搭載する，扉の開閉と連動するシャッター開閉機構を搭載する温冷配膳車を構成するものである。
【００２３】  また、図１１に示す通り、西洋式トレイ４２専用の仕切部４ｄをもつ配膳車に分離帯付きトレイ４３を併用する場合、双方のトレイ通路５の通過高さに上下差があるため、トレイ通路５の仕切板から出没するシャッター３ａ．３ｂを分離帯付きトレイ４３高さで分割し、ベースシャッター４０ａ．４０ｂと着脱シャッター４１ａ．４１ｂに分け、ベースシャッター側の切断面４０ａ−ａ．４０ｂ−ａに磁性体金属板４０ａ−ｍｔ．４０ｂ−ｍｔを設け、着脱シャッターの切断面４１ａ−ａ．４１ｂ−ａに磁石４１ａ−ｍｇ．４１ｂ−ｍｇを設け、
【００２４】  図１２に示す通り、分離帯付きトレイ４３ａ．４３ｂを搭載する際は、前記着脱シャッター４１ａ．４１ｂを手で分離反転し、分離帯付きトレイ４３ａ．４３ｂを搭載するトレイ通路５の直下段の仕切板上端面４ｄ−ｔに磁石４１ａ−ｍｇ．４１ｂ−ｍｇで吸着し、直下段の仕切部の一部として一体化させ、前記一体化した着脱シャッターの下端面４１ａ−ｂ．４１ｂ−ｂを分離帯トレイ４３ａ．４３ｂのトレイ通路５部の裏面の凹み部４３ｄの挿入時のガイドとし、分離帯付きトレイ４３の分離帯部上面４３ｃを、前記ベースシャッター面４０ａ−ａ．４０ｂ−ａをトレイ当接面として、前記扉の開閉と連動するシャッター開閉機構により開閉する温冷配膳車を構成するものである。
【００２５】  また、図１３に示す通り再び前記西洋式トレイ４２を搭載する場合は、前記着脱シャッター４１ａ．４１ｂを分離反転し、前記ベースシャッターの４０ａ−ｍｔ．４０ｂ−ｍｔに着脱シャッターの磁石４１ａ−ｍｇ．４１ｂ−ｍｇで吸着させ一体化し、着脱シャッターの磁石を持たない側の下端面４１ａ−ｂ，４１ｂ−ｂを搭載する西洋式トレイ４２の当接面として、ベースシャッターと着脱シャッターが一体となって西洋式トレイ４２上を上下しトレイ通路を開閉する、前記扉の開閉と連動するシャッター開閉機構を持つ温冷配膳車と構成するものである。
【００２６】（第四実施形態）
なお、本発明のシャッターのトレイの進入方向と対面する面の形状は、図５〜７に示すとおり、トレイ搭載に当り挿入されるトレイの先端部との衝突する事なく、事前にトレイ通路から仕切板内部に収納されてトレイ通路を開放するため、従来の摺動・押上動の起点となるシャッターの先端部に、トレイの差込みを容易にするために必要な、カム面を持つエンドピース部、例えば特開平７−２７５１３４号公報の（大きな面取り１９ｄ）などや、如何なる摺動・押上動しやすくするためのＲ面などを設ける必要は無く、分離帯付きトレイ用シャッターの端部でも、平板状トレイ用の正面側及び背面側の挿入部シャッター３０ａ，３０ｂの各扉側端面であっても、また、ベースシャッター４０ａ，４０ｂ及び着脱シャッター４１ａ，４１ｂの端面であっても、トレイの進入方向に対して垂直面をなし、いかなるカム面やＲ面を必要とせず、左右の温度域との隙間や、扉との密着隙間を最小限にするシャッターの端面形状をもつ事ができる形状を構成するものである。
【００２７】（第五実施形態）
２ａ．２ｂは、扉１２．１３との当接面側に仕切部内部のシャッター開閉機構と連絡する何等の貫通物や突起物を持たないため、図１４及び図１５に示す通り、扉１２．１３の縦枠材４５以外の任意の位置で扉部材面４５ａと当接可能であるため、前記扉部材面に磁性体金属板４５ａ−ｍｔ又は磁石４５ａ−ｍｇを貼り付けて前記シャッター開閉機構と備える仕切部４のシャッターを上下させる事が可能となり、トレイ通路に搭載するトレイ７ａ．７ｂ上の任意の位置で前記仕切部４を縦一列に並べ仕切壁６として温蔵部８と冷蔵部９を区分する事ができるコンパクトな温冷配膳車を構成するものである。
【符号の説明】
【００２８】１            仕切板
２ａ          正面側仕切フェース部
２ａ−ｂ      正面側仕切フェース部の裏面
３ａ          正面側トレイ通路のシャッター
３ａ−ａ      正面側トレイ通路のシャッターの内面
３ｂ          背面側トレイ通路のシャッター
３ｂ−ａ      背面側トレイ通路のシャッターの内面
４            仕切部
４ａ          分離帯付きトレイ用仕切部
４ｂ          平板状トレイ用仕切部
４ｂ−ｔ      平板状トレイ用仕切部の上端部
４ｃ          平板状トレイ併用用仕切部
４ｃ−ｔ      平板状トレイ併用用仕切板の上端部
４ｄ          西洋式トレイ用仕切部
４ｄ−ｔ      西洋式トレイ用仕切板の上端部
５            トレイ通路
５−Ｌ１      トレイ通路高さに相当する開き幅
６            仕切壁
７ａ          正面側トレイ通路のトレイ
８            温蔵域
９            冷蔵域
１２          正面扉
１３          背面扉
１４          温冷配膳車
１５ａ        正面側スイング部のヒンジ始点
１６ａ        正面側スイング板
１７ａ−ａ    正面側スイング部の磁石収納ケース用上下ピン
１７ａ−ｃ    正面側スイング部の左側磁石収納ケース
１７ｃ−ａ    正面側スイング部の右側磁石収納ケース
１７ａ−ｍｇ  正面側スイング部の左側磁石収納ケースの磁石
１７ｍｇ−ａ  正面側スイング部の右側磁石収納ケースの磁石
１８ａ        正面側スイング部
１８ａ−ａ    正面側スイング部の下端部
１９ａ        正面側仕切フェース部とスイング部間のバネ
２０ａ        正面側シャッター開閉戸口の案内棒
２１ａ        正面側シャッター開閉機構用紐
２１ａ−ａ    正面側シャッター開閉機構用紐のシャッター上の始点
２１ａ−ｂ    正面側シャッター開閉機構用紐の案内棒上の終点
２２ａ        正面側シャッター開閉機構の紐用ローラー
２２ａ−ｃ    正面側シャッター開閉機構の紐用ローラーの中心
２３ａ−ｒ    正面側右開き観音開き型扉
２３ａ−ｌ    正面側左開き観音開き型扉
２６          平板状トレイ
２６ｆ        平板状トレイ併用用仕切板
２７          平板状トレイの立上勾配部
２８ａ        平板状トレイの立上勾配部の正面側隙間
２９          平板状トレイの立上勾配部の中間部隙間
３０ａ        平板状トレイ用仕切部の正面側の挿入部シャッター
３０ａ−ａ    正面側挿入部シャッター用紐（３３ａ）の挿入シャッター側の始点
３０ａ−ｂ    正面側挿入部シャッター用紐（３３ａ）の正面側シャッター開閉機構用案              内棒上の終点
３０ａ−ｃ    正面側挿入部シャッター収納用ケース
３０ａ−ｅ    平板状トレイ用仕切部の正面側の挿入部シャッターの上下用ローラーに中              心
３０ｂ−ｃ    背面側挿入部シャッター収納用ケース
３１−ｃ      山状シャッター収納用ケース
３０ａ−ｒ    平板状トレイ用仕切部の正面側の挿入部シャッターの上下用ローラー
３０ｂ        平板状トレイ用仕切部の背面側の挿入部シャッター
３０ｂ−ａ    背面側挿入部シャッター用紐（３３ｂ）の挿入シャッター側の始点
３０ｂ−ｂ    背面側挿入部シャッター用紐（３３ｂ）の背面側シャッター開閉機構用案              内棒状の終点
３０ｂ−ｒ    平板状トレイ用仕切部の背面側の挿入部シャッターの上下用ローラー
３１          平板状トレイ用仕切部の中間部隙間に当接する山状シャッター
３１ａ−ａ    正面側シャッター開閉機構用の山状シャッター用紐のシャッター上の始点
３１ａ−ｂ    正面側シャッター開閉機構用の山状シャッター用紐の案内棒上の終点
３１ａ−ｒ    正面側シャッター開閉機構用の山状シャッターの上下用ローラー
３２ａ        正面側挿入部シャッター用のバネ
３２ｂ        背面側挿入部シャッター用のバネ
３２ｃ        山状シャッター用のバネ
３３ａ        正面側シャッター開閉機構の正面側挿入部シャッター用と山状シャッター              用紐
３３ｂ        背面側シャッター開閉機構の背面側挿入部シャッター用と山状シャッター              用紐
３５ａ        正面側シャッター開閉機構のスイング部用ストッパー
３６ｂ        背面側シャッター開閉機構のスイング部用ストッパー
３７          平板状トレイ併用仕切部のシャッターの立上勾配のある欠損部の空間を、              分離帯月トレイのトレイ通路通過部の裏面に当接する立上勾配部のない板              状の着脱シャッター用とする空間
３８          平板状トレイ併用仕切部シャッターの立上勾配のある欠損部の空間
３９ａ        正面側の平板状トレイの内表面に当接するシャッター形状を持つシャッタ              ー
４０ａ        正面側ベースシャッター
４０ａ−ｍｔ  正面側ベースシャッターの切断面上の磁性体金属板
４１ａ        磁石を分割面側に装着した板状の正面側の着脱シャッター
４１ａ−ｂ    正面側着脱シャッターの磁石を設けていない下端面
４１ａ−ｍｇ  正面側着脱シャッターの分割面に設けた磁石
４２          西洋式トレイ
４３          分離帯付きトレイ
４３ｄ        分離帯付きトレイのトレイ通路部の裏面の凹み部
４４          西洋式トレイの表面側の立上勾配のないトレイ通路部の一部平坦部
４５ａ−ｍｔ  正面側扉枠部以外の扉部材面側に貼り付けた磁石
４５ａ−ｍｔ  正面側扉枠部以外の扉部材面側に貼り付けた磁性体金属板
４６ａ        正面側の平板状トレイ用分割シャッター
４６ａ−ａ    正面側の平板状トレイ用分割シャッターの分割面
４６ａ−ｍｇ  正面側の分割された平板状トレイ用分割シャッターの分割面の磁石
４７ａ        正面側扉の扉パッキン
４７ａ−ｍｇ  正面側左開き扉パッキン内の磁石
４７ａ−ｍｔ  正面側左開き扉パッキン内の磁性体金属板
【要約】
【課題】  トレイ通路へのトレイの搭載・排出時に、トレイとシャッターとを摺動・押上動により嵌合する搭載・排出方式を廃止し、扉の開閉と連動して、事前に磁力によりシャッターを上下させるマグネット式シャッター開閉機構を備える配膳車の提供。
【解決手段】  仕切フェース部表面にシャッターの開閉と連動する何等の突起物や貫通物を持たずに、扉の開閉により仕切フェース部と密着する扉側パッキン内部とスイング部側に設けた磁石又は磁性体金属が、互いの磁力圏内に入脱する事により、スイング部と仕切フェース部間のバネが伏勢又は解放され、スイング部が開閉自在となり、これと連動する案内棒が左右に移動し、前記案内棒とシャッター間を紐で紐用ローラーを介して連絡して、トレイ搭載・排出時の扉の開閉と連動して、事前にシャッターを上昇・下降させ、トレイとシャッターとの摺動・押上動による嵌合傷をつける事なく搭載・排出できる、正面及び背面側扉の開閉と連動する双方向性のあるシャッター開閉機構を持つ配膳車を提供する。
【選択図】図４【図１】
0005458449.tif 000002
【図２】
0005458449.tif 000003
【図３】
0005458449.tif 000004
【図４】
0005458449.tif 000005
【図５】
0005458449.tif 000006
【図６】
0005458449.tif 000007
【図７】
0005458449.tif 000008
【図８】
0005458449.tif 000009
【図９】
0005458449.tif 000010
【図１０】
0005458449.tif 000011
【図１１】
0005458449.tif 000012
【図１２】
0005458449.tif 000013
【図１３】
0005458449.tif 000014
【図１４】
0005458449.tif 000015
【図１５】
0005458449.tif 000016